(57)【要約】      （修正有）【課題】強風時に、ルーバの羽根に勢いよく吹き付けられた雨水が、羽根の表面を伝って、筐体内に侵入してしまう現象を回避し、防水機能の万全を期す技術を提供する。【解決手段】電気機器収納用箱の筐体１に形成した換気用開口部６を被覆するルーバカバーに、前記筐体側に向けて上向きに傾斜させた外側羽根部２と、前記筐体側に向けて下向きに傾斜させた内側羽根部４を備えた電気機器収納箱用ルーバ装置であって、前記内側羽根部４の表面に吹き付けられた水滴の水平方向への流れを妨げ、前記ルーバカバーの下方に設けた排水部１２に向けて落下するよう導く水平流れ阻害部を、前記ルーバカバーに形成した。【選択図】図１
2014216336.tif 000002
【特許請求の範囲】
【請求項１】
電気機器収納用箱の筐体に形成した換気用開口部を被覆するルーバカバーに、前記筐体側に向けて上向きに傾斜させた外側羽根部と、前記筐体側に向けて下向きに傾斜させた内側羽根部を備えた電気機器収納箱用ルーバ装置であって、
前記内側羽根部の表面に吹き付けられた水滴の水平方向への流れを妨げ、前記ルーバカバーの下方に設けた排水部に向けて落下するよう導く水平流れ阻害部を、前記ルーバカバーに形成したことを特徴とする電気機器収納箱用ルーバ装置。
【請求項２】
前記水平流れ阻害部を、前記内側羽根部の左右両端に設けたことを特徴とする請求項１記載の電気機器収納箱用ルーバ装置。
【請求項３】
前記水平流れ阻害部が、前記内側羽根部の表面に形成された段部であることを特徴とする請求項２記載の電気機器収納箱用ルーバ装置。
【請求項４】
前記段部を、溝状に形成したことを特徴とする請求項３記載の電気機器収納箱用ルーバ装置。
【請求項５】
前記段部を、凸状に形成したことを特徴とする請求項３記載の電気機器収納箱用ルーバ装置。
【発明の詳細な説明】
【技術分野】
【０００１】
本発明は、電気機器収納箱用ルーバ装置に関するものである。
【背景技術】
【０００２】
屋外に設置される電気機器収納用箱において、筐体内の換気を行うために備えるルーバ装置の構造として、図７に示すように、ルーバ取付体２２の前面開口にサブルーバカバー２３を嵌合したうえ、該サブルーバカバー２３の前面側に外側ルーバカバー２４を取り付け、このうち、外側ルーバカバー２４には、筐体内側に向けて上向きに傾斜させた外側羽根部２５を設け、サブルーバカバー２３には、筐体内側に向けて下向きに傾斜させた内側羽根部２６を設ける構造が開示されている（特許文献１）。
【０００３】
上記構造によれば、外側羽根部２５によって、上方から流れてくる水の浸入を防ぐことができ、かつ、内側羽根部２６によって、風雨やキャビネット洗浄時の噴流の水の浸入を防ぐことができる。
【０００４】
しかし、上記構造においても、強風時には、サブルーバカバーの羽根の表面に勢いよく吹き付けられた雨水が、内側羽根部２６の表面を伝ってサブルーバカバー２３の側壁部にまで達し、側壁部を伝って筐体内に侵入してしまう問題があった。
【先行技術文献】
【特許文献】
【０００５】
【特許文献１】特開２００６−３３２４４８号公報
【発明の概要】
【発明が解決しようとする課題】
【０００６】
本発明の目的は前記を解決し、外側ルーバカバーには、キャビネット側に向けて上向きに傾斜させた羽根を設け、サブルーバカバーには、キャビネット側に向けて下向きに傾斜させた羽根を設けた電気機器収納箱用ルーバ装置において、特に、強風時に、サブルーバカバーの羽根に勢いよく吹き付けられた雨水が、羽根の表面を伝ってサブルーバカバーの側壁部にまで達し、筐体内に侵入してしまう現象を回避し、防水機能の万全を期す技術を提供することである。
【課題を解決するための手段】
【０００７】
上記課題を解決するためになされた本発明の電気機器収納箱用ルーバ装置は、電気機器収納用箱の筐体に形成した換気用開口部を被覆するルーバカバーに、前記筐体側に向けて上向きに傾斜させた外側羽根部と、前記筐体側に向けて下向きに傾斜させた内側羽根部を備えた電気機器収納箱用ルーバ装置であって、前記内側羽根部の表面に吹き付けられた水滴の水平方向への流れを防げ、前記ルーバカバーの下方に設けた排水部に向けて落下するよう導く水平流れ阻害部を、前記ルーバカバーに形成したことを特徴とするものである。
【０００８】
請求項２記載の発明は、請求項１記載の電気機器収納箱用ルーバ装置において、前記水平流れ阻害部を、前記内側羽根部の左右両端に設けたことを特徴とするものである。
【０００９】
請求項３記載の発明は、請求項２記載の電気機器収納箱用ルーバ装置において、前記水平流れ阻害部が、前記内側羽根部の表面に形成された段部であることを特徴とするものである。
【００１０】
請求項４記載の発明は、請求項３記載の電気機器収納箱用ルーバ装置において、前記段部を、溝状に形成したことを特徴とするものである。
【００１１】
請求項５記載の発明は、請求項３記載の電気機器収納箱用ルーバ装置において、前記段部を、凸状に形成したことを特徴とするものである。
【発明の効果】
【００１２】
本発明に係る電気機器収納箱用ルーバ装置では、ルーバの羽根部を、外側羽根部と内側羽根部の２重構造とすることによって防水機能の向上を図った上で、更に、前記内側羽根部の表面に吹き付けられた水滴の水平方向への流れを妨げ、前記ルーバカバーの下方に設けた排水部に向けて落下するよう導く水平流れ阻害部を、ルーバカバーに備える構成により、防水機能の万全を期している。当該構成によれば、強風時に、雨水がルーバカバーの羽根に勢いよく吹き付けられた場合であっても、この雨水が羽根の表面を伝って側壁部にまで達して筐体内に侵入してしまう現象を確実に回避することができる。
【図面の簡単な説明】
【００１３】
【図１】電気機器収納箱用ルーバ装置の分解斜視図である。
【図２】サブルーバカバーの斜視図である。
【図３】図２のＡ−Ａ断面図である。
【図４】他の実施形態における要部説明図である。
【図５】他の実施形態における要部説明図である。
【図６】その他の実施形態におけるサブルーバカバーの斜視図である。
【図７】従来の電気機器収納箱用ルーバ装置の垂直断面図である。
【発明を実施するための形態】
【００１４】
以下に本発明の好ましい実施形態を示す。
【００１５】
（実施形態１）
図１に示すように、本発明の電気機器収納箱用ルーバ装置は、電気機器収納用箱の筐体１側に向けて上向きに傾斜させた外側羽根部２を有する外側ルーバカバー３と、前記筐体１側に向けて下向きに傾斜させた内側羽根部４を有するサブルーバカバー５からなる２重の防水構造を有している。
【００１６】
サブルーバカバー５は、電気機器収納用箱の筐体１に形成された換気用開口部６に筐体１の外側から嵌め込まれる筒部７と、筒部７の外側面に形成されたネジ部８を備え、この筒部７を換気用開口部７に嵌め込んだ状態で、ネジ部８にリング状の締付ネジ９を螺合させて、筐体１に固定されている。なお、ルーバ装置の形状は丸型に限定されるものではなく、角型とすることもできる。また、ルーバカバーを、外側ルーバカバー３とサブルーバカバー５の二部材構成とせず、一部材からなるルーバカバーに、外側羽根部２と内側羽根部４の双方を形成することもできる。
【００１７】
内側羽根部４は、図２に示すように、筒部７に連なるベース部１３に形成され、筐体１側に向けて下向きに傾斜させた傾斜面１０と、傾斜面１０の下側辺を略垂直下方に向けて延設した延設面１１を有し、外部から吹き付けられた水滴を傾斜面１０で受けて、延設面１１に沿って落下させる構造となっている。ベース部１３の下方には、延設面１１に沿って落下させた水滴をサブルーバカバー５の外部に排出する排出部１２が形成されている。
【００１８】
内側羽根部４は、ベース部１３の内周に位置する側壁部１４に連設されているため、強風時に、内側羽根部４の表面に勢いよく吹き付けられた水滴が、傾斜面１０や延設面１１の表面を伝って側壁部１４にまで達し、側壁部１４を伝って筐体１内にまで侵入してしまうケースも想定されるが、本実施形態では、図２、図３に示すように、表面に吹き付けられた水滴の水平方向への流れを妨げ、水滴が側壁部１４にまで達する前に、排水部１２に向けて落下するよう導く水平流れ阻害部として、内側羽根部４の左右両端に溝状の段部１５を形成している。溝状の段部１５で、左右方向への流れを妨げられた水滴は、自重により下方の排水部１２に向けて落下していくため、前記のような筐体１内への侵入を回避することができる。また、溝状の段部１５は、内側羽根部４の左右両端の他、内側羽根部４の左右両端近傍に形成することも可能である。
【００１９】
本実施形態では、溝状の段部１５の端部に縦方向に渡って角部１６を有する縦段差部１７を形成して、より水滴を下方に落下させやすい構造としている。縦段差部１７に到達した水滴は、表面張力の関係で縦段差部が誘い部分となり、下方に落下するものである。
【００２０】
なお、本実施形態では、ベース部１３と筒部７を一体に形成しているが、ベース部１３と筒部７は別部材として構成することもできる。また、延設面１１は、傾斜面１０の下側辺を下方に向けて延設したものであればよく、本実施形態のように、傾斜面１０の下側辺を略垂直下方に向けて延設したものに限定されるものではない。更に、内側羽根部４に延設面１１を形成せず、傾斜面１０のみとすることもできる。
【００２１】
溝状の段部１５の形状は、水滴の水平方向への流れを妨げるものであればよく、上記実施形態の形状の他、角部１６の角度や数や形成箇所を適宜変更したり、角部１６を有さず、曲線状に段部を形成した構造とすることもできる。また、傾斜面１０に溝状の段部１５を形成しても同様の効果を奏することができる。
【００２２】
（他の実施形態）
上記実施形態１の溝状の段部１５に変えて、図４に示すように、内側羽根部４の端部に、凸状の段部２０を形成したり、図５に示すように、内側羽根部４の端部に、溝状の段部１５と凸状の段部２０の双方を形成することもできる。何れの実施形態でも、溝状の段部１５あるいは凸状の段部２０で、左右方向への流れを妨げられた水滴は、自重により下方の排水部１２に向けて落下していくため、前記のような筐体１内への侵入を回避することができる。
【００２３】
上記実施形態では、何れも、水平流れ阻害部となる段部１５、２０を内側羽根部４に形成しているが、図６に示すように、水平流れ阻害部となる側壁溝部２１を側壁部１４に沿って円弧状に形成することもできる。その他、側壁溝部２１に変えて、凸状の段部を円弧状に形成したり、内側羽根部４の段部１５、２０と共に形成することもできる。
【符号の説明】
【００２４】
１  筐体
２  外側羽根部
３  外側ルーバカバー
４  内側羽根部
５  サブルーバカバー
６  換気用開口部
７  筒部
８  ネジ部
９  締付ネジ
１０  傾斜面
１１  延設面
１２  排出部
１３  ベース部
１４  側壁部
１５  溝状の段部
１６  角部
１７  縦段差部
２０  凸状の段部
２１  側壁溝部
２２  ルーバ取付体
２３  サブルーバカバー
２４  外側ルーバカバー
２５  外側羽根部
２６  内側羽根部
【図１】
2014216336.tif 000003
【図２】
2014216336.tif 000004
【図３】
2014216336.tif 000005
【図４】
2014216336.tif 000006
【図５】
2014216336.tif 000007
【図６】
2014216336.tif 000008
【図７】
2014216336.tif 000009